(57)【要約】      （修正有）【課題】簡易な構成で、収容ケースの開口を開閉できる小物を収納する小物用携帯収納具を提供する。【解決手段】天面が開口された空洞を有すると共に、底面部３ａ、正面部３ｂ、高さが正面部よりも低い背面部３ｃ、一方の側面部３ｄ、他方の側面部３ｆとを有する四角柱状の収納ケース３と、収納ケース３の背面部に連結され、開口を開閉自在にする蓋部材５と、を備えた小物用携帯収納具１であって、蓋部材５は、側面視逆Ｖ形状で、一辺部５ａと対峙する他辺部５ｂと、共有部５ｃと反対側が開放されている開放部５ｅと、他辺部５ｂの端部が背面部３ｃの上端部に連結し、他辺部５ｂの端部には、横方向に切り込みを入れた折り曲げ部７と、を備え、一辺部５ａは収納ケース３の内側面に当接し、押圧力に対して可撓性を有し、押圧力の解除に伴って復帰するように形成されている。【選択図】図１
2020137986.tif 000002
【特許請求の範囲】
【請求項１】
小物を収納し、天面が開口された柱状の空洞を有すると共に、底面部、正面部、該正面部と対向すると共に、高さが前記正面部よりも低い背面部、一方の側面部、他方の側面部とを有する四角柱状の収納ケースと、前記収納ケースの前記開口を開放したり、塞いだりする蓋部材と、を備えた小物を収容する小物用携帯収納具であって、
前記蓋部材は、側面視逆Ｖ形状で、板状の一辺部と対峠する板状の他辺部と、一辺部と他辺部とにより先端を共有する共有部と、前記共有部と反対側が開放されている開放部とを備え、前記他辺部の端部は前記背面部の上端部に連結されると共に、横方向に切り込みを入れた折り曲げ部を有しており、
前記一辺部は、前記収納ケースの内側面に当接した状態で、押圧力に対して可撓性を有し、前記押圧力の解除に伴って復帰するように形成されている、
ことを特徴とする小物用携帯収納具。
【請求項２】
小物を収納し、天面が開口された柱状の空洞を有すると共に、底面部、正面部、該正面部と対向すると共に、高さが前記正面部よりも低い背面部、一方の側面部、他方の側面部とを有する四角柱状の収納ケースと、前記収納ケースの背面部にヒンジ部材により連結され、前記開口を開放したり、塞いだりする蓋部材と、を備えた小物を収容する小物用携帯収納具であって、
前記蓋部材は、側面視逆Ｖ形状で、板状の一辺部と対峠する板状の他辺部と、一辺部と他辺部とにより先端を共有する共有部と、前記共有部と反対側が開放されている開放部とを備え、前記一辺部は、外側面が前記収納ケースの内側面に当接した状態で、押圧力に対して可撓性を有し、前記押圧力の解除に伴って復帰するように形成されており、
前記ヒンジ部材は、前記他辺部の端部が連結された第１の固定部と、前記背面部に連結された第２の固定部と、前記第１の固定部と前記第２の固定部との連結部を回動自在にする回動部を、
備えたことを特徴とする小物用携帯収納具。
【請求項３】
前記一辺部の側面端の一方と前記他辺部の側面端の一方とを連結する第１の連結部材と、前記一辺部の側面端の他方と前記他辺部の側面端の他方とを連結する第２の連結部材と、
を備えたことを特徴とする請求項１又は２に記載の小物用携帯収納具。
【請求項４】
前記他辺部を摺動しながら押圧することにより、前記一辺部を収納ケースの内側面に当接して前記収納ケースの開口を塞ぐ閉塞手段を、
備えたことを特徴とする請求項１から３の何れか一つに記載の小物用携帯収納具。
【発明の詳細な説明】
【技術分野】
【０００１】  本発明は、小物を収納する小物用携帯収納具に関するものである。
【背景技術】
【０００２】  従来の小物を収納する小物用携帯収納具は、下記特許文献１に記載のように、小物を収容する内部空間を有し、上部と下部を開口した四方形のケースの上部にホックをつけた保持上部ベルトを設け、下部にもホックをつけた保持下部ベルトを設け、保持上部ベルトの中央辺りにナスカンを取付けてベルトステイループに装着するものがある。【０００３】  上記収納ケースは、保持上部ベルトの中央辺りの箇所にナスカンを取付け、ベルトステイループに装着して使用する。スマートフォン（以下、スマホという）を簡易に持ち運びができる。
【先行技術文献】
【特許文献】
【０００４】
【特許文献１】特開２０１５−２１３７２０号公報
【発明の概要】
【発明が解決しようとする課題】
【０００５】  しかし、発明者は、上記収納ケースでは、小物を収納するには、使用者が収容部の下部の開口を下部釦と下部ホックとを留めて、下部の開口を塞いだ状態で、小物としてスマホを収容部に収納する。続いて、上部開口を塞ぐために上部釦と上部ホックとを留める。一方、小物を取出すには、使用者が下部開口を開放するために、下部釦と下部ホックとを外し、小物を取り出す。再び、下部開口を塞ぐために下部釦と下部ホックとを留める。即ち、小物の収容及び取出しに伴う収納ケースの開口を塞いだり、開放したりするのに釦とホックとを留めたり外したりしなければならず面倒であるという課題を見出した。【０００６】  本発明は、上記課題を解決するもので、簡易な構成で、収容ケースの開口を塞いだり、開放したりできる小物を収納する小物用携帯収納具を提供することを目的とする。
【課題を解決するための手段】
【０００７】  本発明に係る小物用携帯収納具は、小物を収納し、天面が開口された柱状の空洞を有すると共に、底面部、正面部、該正面部と対向すると共に、高さが前記正面部よりも低い背面部、一方の側面部、他方の側面部とを有する四角柱状の収納ケースと、前記収納ケースの前記開口を開放したり、塞いだりする蓋部材と、を備えた小物を収容する小物用携帯収納具であって、前記蓋部材は、側面視逆Ｖ形状で、板状の一辺部と対峠する板状の他辺部と、一辺部と他辺部とにより先端を共有する共有部と、前記共有部と反対側が開放されている開放部とを備え、前記他辺部の端部は前記背面部の上端部に連結されると共に、横方向に切り込みを入れた折り曲げ部を有しており、前記一辺部は、前記収納ケースの内側面に当接した状態で、押圧力に対して可撓性を有し、前記押圧力の解除に伴って復帰するように形成されている、ことを特徴とするものである。
上記小物用携帯収納具によれば、収納ケースの開口が開放している状態で、使用者により蓋部材の他辺部が折り曲げ部を介して起立すると、蓋部材の一辺部の外側面を収納ケースの内側面に当接して、収納ケースの開口が蓋部材により塞がれる。
この状態から、小物としてのスマホの先端部を蓋部材の一辺部の外側面を押すと、一辺部が内側に撓み、収納ケースの開口が開放してスマホを収納ケース内に収納する。収納されると、蓋部材の一辺部は、スマホによる押圧力が解除し、復帰して収納ケースの内側面に当接する。これにより、蓋部材により収納ケースの開口が塞がれる。従って、簡易にスマホを収納ケースに収納できる。
一方、収納されたスマホを取り出すには、蓋部材の他辺部を収納ケースに対して、折り曲げ部を介して外側に倒すと、収納ケースの開口が開放して、収納ケースを逆さまにしてスマホを容易に取り出すことができる。【０００８】  他の発明に係る小物用携帯収納具は、小物を収納し、天面が開口された柱状の空洞を有すると共に、底面部、正面部、該正面部と対向すると共に、高さが前記正面部よりも低い背面部、一方の側面部、他方の側面部とを有する四角柱状の収納ケースと、前記収納ケースの背面部にヒンジ部材により連結され、前記開口を開放したり、塞いだりする蓋部材と、を備えた小物を収容する小物用携帯収納具であって、前記蓋部材は、側面視逆Ｖ形状で、板状の一辺部と対峠する板状の他辺部と、一辺部と他辺部とにより先端を共有する共有部と、前記共有部と反対側が開放されている開放部とを備え、前記一辺部は、外側面が前記収納ケースの内側面に当接した状態で、押圧力に対して可撓性を有し、前記押圧力の解除に伴って復帰するように形成されており、前記ヒンジ部材は、前記他辺部の端部が連結された第１の固定部と、前記背面部に連結された第２の固定部と、前記第１の固定部と前記第２の固定部との連結部を回動自在にする回動部を、備えたことを特徴とするものである。
上記小物用携帯収納具によれば、収納ケースの開口が開放している状態で、使用者が蓋部材の他辺部をヒンジ部材の回動部を介して起立すると、蓋部材の一辺部の外側面を収納ケースの内側面に当接して、収納ケースの開口が蓋部材により塞がれる。
この状態から、小物としてのスマホの先端部を蓋部材の一辺部の外側面を押すと、一辺部が内側に撓み、収納ケースの開口が開放してスマホを収納ケース内に収納する。収納されると、蓋部材の一辺部は、スマホによる押圧力が解除し、復帰して収納ケースの内側面に当接する。これにより、蓋部材により収納ケースの開口が塞がれる。従って、簡易にスマホを収納ケースに収納できる。
一方、収納ケースに収納されたスマホを取り出すには、蓋部材の他辺部を収納ケースに対して、ヒンジ部材の回動部を介して外側に倒すと、収納ケースの開口が開放して、収納ケースを逆さまにしてスマホを容易に取り出すことができる。
【発明の効果】
【０００９】  本発明によれば、簡易な構成で、収容ケースの上部開口を塞いだり、開放したりできる小物を収納する小物用携帯収納具を得ることができる。
【図面の簡単な説明】
【００１０】
【図１】本発明の一実施の形態による小物用携帯収納具の斜視図である。
【図２】図１に示す小物用携帯収納具の縦断面図である。
【図３】図１の小物用携帯収納具を用い小物を収納及び取り出しする動作説明図である。
【図４】他の実施の形態による小物用携帯収納具の縦断面図（ａ）、背面図（ｂ）である。
【発明を実施するための形態】
【００１１】実施の形態１．
本発明の一実施の形態を図１及び図２によって説明する。図１において、小物を収納する小物用携帯収納具１は、小物を収納し、天面が開口３ｅされた柱状の空洞から成る収納部３ｍを有する四角柱状の収納ケース３を有している。収納ケース３は、底面部３ａと、正面部３ｂと、正面部３ｂと対向すると共に、高さが正面部３ｂよりも低い背面部３ｃと、一方の側面部３ｄと、他方の側面部３ｆとを有している。収納ケース３の背面部３ｃの上端部に連結されると共に、開口３ｅを開放したり、塞いだりする蓋部材５を備えている。
【００１２】  図１及び図２において、図蓋部材５は板状で、一辺部５ａと辺部５ａと対向する他辺部５ｂとを有し、一辺部５ａと辺部５ａとの先端を共有する共有部５ｃを備え、側面視逆Ｖ形状に形成されている。ここで、一辺部５ａと他辺部５ｂとの幅は、等しく、収納ケース３の収納部３ｍの幅よりも僅かに短く形成されている。蓋部材５の一辺部５ａは、押圧力に対して内側に可撓性を有すると共に、押圧力の解除に伴って復帰するように形成されている。これにより、蓋部材５の一辺部５ｂの外側面が収納ケース３の内側面を摺動自在に挿入し得るように形成されている。ここで、蓋部材５の材質としては可撓性を有する樹脂、皮が好ましい。蓋部材５の他辺部５ｂの端が収納ケース３の背面部３ｂの上端部に連結する連結部に折り曲げ部７を有している。ここに、折り曲げ部７は、他辺部５ｂの端部領域を横方向に切り込みが複数形成されている。これにより、他辺部５ｂが折り曲げ部７により収納ケース３の背面部３ｃの外側と内側に対して折り曲げ容易となっている。なお、共有部５ｃの反対側に一辺部５ａと他辺部５ｂとにより開放部５ｅを有している。
【００１３】  上記のように構成された小物用携帯収納具を用い小物としてスマホを収納する使い方を図３より説明する。図３（ａ）に示すように蓋部材５の一辺部５ａを手により折り曲げ部７を介して倒すと、収納ケース３の開口３ｅが開放する。この状態から、図３（ｂ）に示すように、手により蓋部材５の他辺部５ｂを折り曲げ部７を介して起立すると、蓋部材５の一辺部５ａの外側面が収納ケース３の内側と当接して、開口３ｅが蓋部材５により塞がれる。次に、図３（ｃ）に示すように、手に持ったスマホ２０の先端部を蓋部材５の一辺部５ｂ外側面に押すと、一辺部５ａが内側に撓むことにより、スマホ２０が収納ケース３内を摺動移動する。
【００１４】  やがて、図３（ｄ）に示すように、スマホ２０が収納ケース３内に収納する。収納されると、スマホ２０による蓋部材５の一辺部５ａへの押圧力が解除し、該一辺部５ａが復帰して収納ケース３の内側面に当接して、蓋部材５により収納ケース３の開口３ｅを塞ぐ。この状態で、スマホ２０が上下動等して蓋部材５の一辺部５ａを内側から押圧しても、一辺部５ａの端が収納ケース３の内面で制止される。よって、収納ケース３からスマホ２０が出にくくなっている。収納されたスマホ２０を取り出すには、図３（ａ）に示すように、手により蓋部材５の一辺部５ａを折り曲げ部７を介して倒すと、収納ケース３の開口３ｅが開放し、この状態で、収納ケース３を下側に向けると、スマホ２０を容易に取り出すことができる。
【００１５】実施の形態２．
本発明の他の実施の形態を図４によって説明する。本実施の形態では、蓋部材５の一辺部５ａを収納ケース３の開口３ｅを開放した際に蓋部材５の開放部５ｅが開きすぎを防止することにより、収納ケース３の開口３ｅを円滑に塞ぐものである。このため、蓋部材５の一辺部５ａの側面端の一方と他辺部５ｂの側面端の一方とを連結する第１の連結部材３１と、蓋部材５の一辺部５ａの側面端の他方と他辺部５ｂの側面端の他方とを連結する第２の連結部材３２と、を有している。
【００１６】  また、本実施の形態におけるヒンジ部材５０は、第１の固定部５１と、第２の固定部５２の端部を連結する連結部を回動する回動部５４を備えている。ヒンジ部材５０の第１の固定部５１を蓋部材５の他辺部５ｂの端部に固定し、第２の固定部５２を収納ケース３の背面部３ｃの上段部に固定されている。これにより、第１の固定部５１と、第２の固定部５２とが回動部５４により回動自在となり、蓋部材５の他辺部５ｂの起立及び倒立が容易となっている。なお、回動部５４は、第１の固定部５１、第２の固定部５２の端部に設けた円筒形の第１、第２の筒部に棒状のピン部材が挿入されて形成されている。
【００１７】  また、本実施の形態では、蓋部材５の他辺部５ｂを摺動しながら押圧して一辺部５ａを収納ケース３の内側面に当接して開口３ｅを塞ぐ閉塞手段を有している。これにより、収納ケース３の開口３ｅを塞ぐのが容易になる。閉塞手段は、収納ケース３の背面部３ｃには、板状の押圧部材６０の端部をネジ６５により回転自在に取付けらけれ、押圧部材６０を回転して蓋部材５の他辺部５ｂを摺動しながら押圧すると、蓋部材５の他辺部５ｂが起立して一辺部５ａが収納ケース３の内側面に当接して開口３ｅを塞ぐように形成されている。
【符号の説明】
【００１８】  １  小物用携帯収納具、３  収納ケース、３ａ  底面部、３ｂ  正面部、３ｃ  背面部、３ｄ  一方の側面部、３ｆ  他方の側面部、３ｅ  開口、５  蓋部材、５ａ  一辺部、５ｂ  他辺部、５ｃ  共有部、７  折り曲げ部、５ｅ  開放部、３１  第１の連結部材、３２  第２の連結部材、５０  ヒンジ部材、５１  第１の固定部、５２  第２の固定部、５４  回動部、６０  押圧部材。
【図１】
2020137986.tif 000003
【図２】
2020137986.tif 000004
【図３】
2020137986.tif 000005
【図４】
2020137986.tif 000006